(57)【要約】【課題】費用が安価で、様々な色に対応が可能で、生産効率の高い新規な再帰反射体を提供する。【解決手段】白色の再帰反射プリズムに透光性の有色インキ層を形成させることによって、プリズムと異なる反射光を発することができる。インキは単色でもよいし、複数色組み合わせてもよく、印刷などによって、文字や図柄を描いて情報表示板として利用できる。また、表面に透明基材を取り付けることにより、物理的な衝撃から保護でき、耐候性の向上にもなる。該透明基材の表面に光触媒層を形成させれば、太陽光により表面が親水化し、雨水により汚染物質が容易に洗い流されるため、汚染物質が堆積しにくく、良好な視認性を保つことが出来る。【選択図】　　　図３
2004036161.tif 000002
【特許請求の範囲】
【請求項１】
微細な多数のプリズム面が形成されたプリズム板により再帰反射性を有した再帰反射体であって、該プリズム板上に、透光性を有するインキ層が形成されたことを特徴とした再帰反射体。
【請求項２】
前記インキ層の上に透明基材が取り付けられていることを特徴とした請求項１に記載の再帰反射体。
【請求項３】
前記透明基材上には、光触媒含有層が形成されていることを特徴とした請求項２に記載の再帰反射体。
【発明の詳細な説明】
【０００１】
【発明の属する技術分野】
本発明は、例えばドライバーの視線誘導を目的として、道路側縁や中央分離帯に設置される視線誘導標や道路鋲等の道路安全用品に関するものである。
【０００２】
【従来の技術】
従来、自動車による夜間や悪天候の走行の際、ドライバーへ安全な走行を促すため、たとえば道路側縁や中央分離帯に視線誘導標や道路鋲が設置され、道路の線形や、中央線を表している。これらの視線誘導標や道路鋲は、一般に白色または橙色のプリズム反射体や反射シートからなる再帰反射体を用いている。
【０００３】
【発明が解決しようとする課題】
白色の再帰反射体を用いた視線誘導標や道路鋲は、特に反射率が良く、視認性が良いため、好適に用いられるが、たとえば降雪時や霧発生時などは、周囲と同色となるため、逆に視認性が低下する。また、積雪した道路なども同様に白色の再帰反射体では十分な視線誘導効果は得られない。従って、このような地域では有色の再帰反射体が望まれている。
【０００４】
また従来、有色の再帰反射体として橙色の再帰反射体があるが、道路の多様化によりデザイン性の要求が高まり、多色対応が望まれている。従来、再帰反射体として用いられているものには、反射シートやプリズム反射体があるが、反射シートは、複数種の色ヴァリエーションがあるものの、色数は多くなく、また価格も高価であり、視線誘導標や道路鋲など、道路に大量に設置する製品には、適しない。また、プリズム反射体には白色と橙色のものがあるだけであった。これらの理由により、様々な色に対応可能で、安価で簡易な再帰反射体の開発が望まれていた。
【０００５】
そこで本発明は上記の如き問題点に鑑みてなされたものであり、様々な色に対応が可能で、かつ費用も安価で、生産効率の高い新規な再帰反射体を提供せんとするものである。
【０００６】
【課題を解決するための手段】
上記課題を解決するために、本発明者は鋭意研究した結果、白色の再帰反射プリズムを利用して、透光性のインキと組み合わせることによって、容易に反射体に着色させることができ、費用も安価となる事を知得し、本発明を完成するに至った。
【０００７】
上記目的を達成するために、本発明は次のような構成としている。すなわち、微細な多数のプリズム面が形成されたプリズム板により再帰反射性を有した再帰反射体であって、該プリズム板上に、透光性を有するインキ層が形成されたことを特徴としたものである。
【０００８】
再帰反射プリズム体の上面に透光性の有色インキ層を形成することによって、光が入射した際に、プリズム反射光と異なる、インキの色の反射光を発現させることが出来る。インキ層は全面に形成させてもよいし、反射面の一部でもよい。また、インキは１色でもよいし、複数色でもよく、印刷や塗装などにより、文字や絵柄を描くようにしてもよい。その場合、インキ層を形成させる方法は、特に限定されるものではないが、塗装であれば、ディップコーティング、エアースプレーコーティング、エアレススプレーコーティング、ロールコーティング、パーコーティグ、フローコーティング、はけ塗り等があり、印刷であれば、スクリーン印刷、グラビア印刷、シルク印刷、オフセット印刷、熱転写等が挙げられる。
【０００９】
再帰反射基材には、プリズム板のほか、再帰反射ビーズを用いたものでもよいが、再帰反射ビーズを用いた反射体を用いると、反射体表面にビーズによる凹凸が形成され、該凹凸上に透光性のインキ層を形成させる必要がある。凹凸表面上への印刷や塗装は容易ではなく、インキ層厚の不均一や、塗りムラの原因となる。インキ層が不均一であると、反射性にムラが生じたり、表示性能低下につながるので、好ましくない。また、表面凹凸にクリアインキを充填することにより表面を平滑化し、平滑化した表面上に透光性インキ層を形成させてもよいが、工程が増えるため好ましくない。そのため、好ましくはプリズム反射体を使用するのが良い。
【００１０】
このように、反射板に着色することにより、例えば通常時は一般の視線誘導に用いられるデリニェーターとしての効果を有し、吹雪や濃霧などの悪天候には、視認性が優れた注意喚起効果を有することができる。
【００１１】
また、前記インキ層の上に透明基材が取り付けられていてもよい。インキ層の上面にポリカーボネート樹脂やアクリル樹脂、ポリエステル樹脂などの透明なシートまたはフィルムを付与することにより、インキ層を物理的な衝撃から保護すると共に、インキの耐候性を向上させる。透明基材には、耐候性を向上させるため、紫外線吸収剤等の添加剤を加えると、インキの退色を抑えることができる。
【００１２】
プリズム反射体と透明基材の接着方法は特に限定されるものではないが、接着強度や生産性を考えると、プリズム反射体と透明基材をインサート成形し、一体化するのが好ましい。
【００１３】
また、透光性インキ層を形成させる場合、プリズム反射体上にインキ層を形成しても良いが、透明基材裏面にインキ層を形成させ、インキ層がプリズム反射体と透明基材に挟み込まれるように、接着されてもよい。
【００１４】
また、前記透明基材上には、光触媒含有層が形成されていてもよい。外部に曝される透明基材の表面に、二酸化チタン等の光触媒を含む光触媒含有層を形成させておけば、その光触媒によって表面が親水化されるため、塵埃や車両の排ガス等の汚染物質が付着しにくくなる。二酸化チタン等の光触媒は、紫外線を照射されることにより活性化されて強い酸化力を発現すると共に、その表面は親水化される特徴があり、塵埃や車両の排ガス等の汚染物質が表面に付着しても、強い酸化力によって汚染物質が分解されると共に、親水化された表面によって、表面に付着する汚染物質と表面との間に水が割り込んで汚染物質を浮かせるため、汚染物質が付着しにくく、また付着しても降雨等により容易に洗い流されて除去されるため、汚染物質が堆積しにくくなる。
【００１５】
【発明の実施の形態】
本発明の実施の形態について、図面に基づき以下に具体的に説明する。図１〜２は、本発明に係る再帰反射体の一例であり、再帰反射体を正面から見た図である。図１の再帰反射体１は、プリズム反射体上にインキ層１１ａがスクリーン印刷により形成されている。また、部分１１ｂは、意図的にインキ層を形成させていない部分で、インキ層がある部分と無い部分で、簡単な絵柄を形成している。
【００１６】
図２に示される再帰反射体１は、図１と同様に白色プリズム反射体上に、スクリーン印刷によりインキ層１１ｃと１１ｄが形成されている。インキ層部分１１ｃとインキ層部分１１ｄは、異なる色の透光性インキが用いられており、２色のインキを用いることにより絵柄が形成されている。
【００１７】
ここで、プリズム反射体上に用いるインキ色は特に限定されるものではないが、プリズムを形成する樹脂が透明であるので、緑、赤、青色等のプリズムの色に対して、色相差や明度差、彩度差が大きいものが好ましい。また、反射光の見え方を考慮して、インキ層の透光性を調整する。すなわち、反射輝度が大きすぎる場合などは、インキ濃度を大きくしたり、インキ層を厚くしたりして、反射輝度を調整できる。白色反射部分も、周囲の有色反射光とのコントラストを考慮して、乳白色のインキ層を形成させておくなど、透光性を調整できる。
【００１８】
図３〜５は、再帰反射体の断面を示している。図３では、プリズム反射板１２上に有色インキ層が形成され、プリズム反射板自体が裏板１３に固定されている。裏板への固定方法は特に限定されるものではないが、接着剤、熱融着、超音波融着等が好適である。ａ方向から入射した光が、有色インキ層を通過しプリズム反射体で反射され、再度有色インキ層を通り、有色の反射光が発現される。
【００１９】
図４では、プリズム反射体１２上に有色インキ層が形成され、該インキ層面上に、透明基材１４がインサート成形により取り付けられ、反射プリズム体と一体となっており、また反射プリズム体裏面には、裏板が固定されている。透明基材を再帰反射体の前面に取り付ける場合、有色インキ層は透明基材の裏面に印刷又は塗装によって形成させた後、プリズム反射体とインサート成形してもよい。
【００２０】
図５は、再帰反射体の前面に取り付けられた透明基材上に、光触媒含有層が形成された再帰反射体である。光触媒含有層は、透明基材とプリズム反射体を一体化させた後に、透明基材表面に塗装されてもよいが、予め光触媒含有層を形成させておいた透明基材を用いてもよい。その場合は、透明基材の光触媒含有層が形成されていない面に、有色インキ層を形成させて、有色インキ層がプリズム反射体と透明基材に挟み込まれるように一体化させる。
【００２１】
【発明の効果】
再帰反射体のプリズム反射体上に透光性インキ層を形成することにより、有色の反射光を発現する再帰反射体を得ることができ、例えば雪や霧などの悪天候時や積雪路面でも良好に視認できる視線誘導標や道路鋲を提供することが可能となった。また道路の多様化に伴い、多様な色や絵柄等のデザイン性が要求されるような場合にも、対応が可能である。さらに、インキ層上に透明基材を取り付けることによって、物理的な衝撃からインキ層やプリズムを保護するとともに、耐候性を向上させることが出来る。前面の透明基材上に光触含有層を形成させれば、排ガス等の汚れが付着しても、降雨等により容易に洗い流されるため、高い視認性を少ないメンテナンスで、保つことが可能である。
【図面の簡単な説明】
【図１】本発明に係わる実施の一例を示すものである。
【図２】本発明に係わる実施の一例を示すものである。
【図３】本発明に係わる実施の一例を示すものである。
【図４】本発明に係わる実施の一例を示すものである。
【図５】本発明に係わる実施の一例を示すものである。
【符号の説明】
ａ　　入射光
ｂ　　反射光
１　　再帰反射体
１１　透光性有色インキ層
１１ａ透光性有色インキ層
１１ｂインキ層未形成部分
１１ｃ透光性有色インキ層
１１ｄ透光性有色インキ層
１２　プリズム反射体
１３　裏板
１４　透明基材
１５　光触媒含有層
【図１】
2004036161.tif 000003
【図２】
2004036161.tif 000004
【図３】
2004036161.tif 000005
【図４】
2004036161.tif 000006
【図５】
2004036161.tif 000007